(57)【要約】【課題】使用する環境に合わせて使用者の意思によって換気装置の動作・非動作を設定できるようにすること。【解決手段】換気装置オフキー６ｂを例えば３秒以上押し続けると前記無線送信部７よる無線信号送信の可・不可を設定できることにより、換気装置１０の無線受信部８に無線信号を送信する無線送信部７（無線送信手段）が無線信号を送信しないように設定することができる構成とすること。【選択図】図１
2010027326.tif 000002
【特許請求の範囲】
【請求項１】
トッププレートに調理容器を載置して誘導加熱する加熱手段と、前記加熱手段がオン・オフされるための加熱動作操作手段と、換気装置がオン・オフされるための換気装置操作手段と、前記加熱動作操作手段により前記加熱手段がオン・オフされたときにその状態に連動して前記換気装置を動作させる、または前記換気装置操作手段により手動で前記換気装置を動作させるために無線でオン・オフする無線信号を前記換気装置に送信する無線送信手段とを備え、前記無線送信手段が前記無線信号を送信しないように設定することができる構成とした誘導加熱調理器。
【請求項２】
無線送信手段の無線信号を送信することの可・不可が設定されるための無線送信動作設定手段を有し、使用者が前記無線送信手段の無線信号を送信することの可・不可を任意に設定できる構成とした請求項１に記載の誘導加熱調理器。
【請求項３】
換気装置操作手段には換気装置をオンさせる換気装置オンキーおよび換気装置をオフさせる換気装置オフキーを有し、無線送信動作設定手段を前記換気装置オフキーと兼ねる構成とした請求項２に記載の誘導加熱調理器。
【請求項４】
無線送信動作設定手段は、加熱手段のオン・オフに連動した換気装置動作のための無線送信手段の動作のみ可・不可を設定できる構成とした請求項２または３に記載の誘導加熱調理器。
【請求項５】
無線送信動作設定手段は、換気装置操作手段により手動で換気装置を動作させるための無線送信手段の動作のみ可・不可を設定できる構成とした請求項２または３に記載の誘導加熱調理器。
【請求項６】
音声を出力する音声出力部を有し、無線送信動作設定手段による無線信号を送信することの可・不可を設定すると前記音声出力部が報知音を出力する構成とした請求項１〜５のいずれかに記載の誘導加熱調理器。
【請求項７】
数字やマークを表示する表示部を有し、前記表示部は無線信号を送信することのの可・不可の設定状態を表示する構成とした請求項１〜６のいずれか１項に記載の誘導加熱調理器。
【請求項８】
無線信号を赤外線信号によるものとした請求項１〜７のいずれか１項に記載の誘導加熱調理器。
【発明の詳細な説明】
【技術分野】
【０００１】
本発明は、加熱のオン・オフに連動して換気装置を動作させるための信号を無線にて送信する誘導加熱調理器に関する。
【背景技術】
【０００２】
近年、誘導加熱調理器は安全・清潔・高効率という優れた特徴が認知され、一般家庭のキッチンや業務用等に広く普及してきている。従来、鍋などを加熱する誘導加熱調理器と加熱のオン・オフに連動する換気装置について、その連動方式として有線方式により誘導加熱調理器から換気装置に信号を送信する方式や、赤外線や電波などを用いて無線で誘導加熱調理器から換気装置に信号を送信する方式のものが知られている。特に近年、連動のための有線工事の必要のない無線方式が採用されている（例えば、特許文献１参照）。
【特許文献１】特開２０００−３０４２７０号公報
【発明の開示】
【発明が解決しようとする課題】
【０００３】
しかしながら、前記従来の誘導加熱調理器では、連動機能の使用・不使用を使用者が選択することができず、例えば室温が低い場所で調理器を使用する際に、換気装置がオンすることによりさらに温度が下がり、使用者が不快な思いをすることがあるという課題を有していた。
【０００４】
本発明は、前記従来の課題を解決するもので、換気装置の連動動作を無効にするよう設定できる構成とすることで、使用する環境に合わせて使用者の意思によって換気装置の動作・非動作を設定できる誘導加熱調理器を提供することを目的とする。
【課題を解決するための手段】
【０００５】
前記従来の課題を解決するために、本発明の誘導加熱調理器は、トッププレートに調理容器を載置して誘導加熱する加熱手段と、前記加熱手段がオン・オフされるための加熱動作操作手段と、換気装置がオン・オフされるための換気装置操作手段と、前記加熱動作操作手段により前記加熱手段がオン・オフされたときにその状態に連動して前記換気装置を動作させる、または前記換気装置操作手段により手動で前記換気装置を動作させるために無線でオン・オフする無線信号を前記換気装置に送信する無線送信手段とを備え、前記無線送信手段が前記無線信号を送信しないように設定することができる構成としたものである。
【０００６】
これにより、使用者の意思によって換気装置の加熱との連動動作や手動での換気装置動作の可・不可を設定でき、使用する環境に適した使い方を使用者に提供することができる。
【発明の効果】
【０００７】
以上のように本発明の換気装置との連動動作を備えた誘導加熱調理器は、使用者の意思によって連動動作の有効・無効を設定でき、使用者にとって使い勝手を良くすることができる。
【発明を実施するための最良の形態】
【０００８】
第１の発明は、トッププレートに調理容器を載置して誘導加熱する加熱手段と、前記加熱手段がオン・オフされるための加熱動作操作手段と、換気装置をオン・オフするための換気装置操作手段と、前記加熱動作操作手段により前記加熱手段がオン・オフしたときに
その状態に連動して前記換気装置を動作させる、または前記換気装置操作手段により手動で換気装置を動作させるために無線でオン・オフする無線信号を前記換気装置に送信する無線送信手段とを備え、前記無線送信手段が無線信号を送信しないように設定することができる構成とすることにより、使用者の意思によって換気装置の加熱との連動動作や手動での換気装置動作の可・不可を設定でき、使用する環境に適した使い方を使用者に提供することができる。
【０００９】
第２の発明は、特に、第１の発明において、無線送信手段の無線信号を送信することの可・不可が設定されるための無線送信動作設定手段を有し、使用者が前記無線送信手段の無線信号を送信することの可・不可を任意に設定できる構成とすることみより、換気装置動作の可・不可の設定方法を使用者に分かり易く示すことができ、使用者にとって使い勝手の良い商品を提供できる。
【００１０】
第３の発明は、特に、第２の発明において、換気装置操作手段には換気装置をオンさせる換気装置オンキーおよび換気装置をオフさせる換気装置オフキーを有し、無線送信動作設定手段を前記換気装置オフキーと兼ねる構成とすることにより、操作キーの数を減らすとともに設定する際にどのキーを使用すれば良いかを連想し易くすることができ、使用者にとって使い勝手の良い商品を提供することができる。
【００１１】
第４の発明は、特に、第２または第３の発明の無線送信動作設定手段を、加熱手段のオン・オフに連動した換気装置動作のための無線送信手段の動作のみ可・不可を設定できる構成とすることにより、手動での換気装置の操作は有効のまま加熱との連動動作のみを無効にすることが可能となり、使用者が使いたい場合にのみ換気装置を使用できるので、使い勝手の向上を図ることができる。
【００１２】
第５の発明は、特に、第２または第３の発明の無線送信動作設定手段を、換気装置操作手段により手動で換気装置を動作させるための無線送信手段の動作のみ可・不可を設定できる構成とすることにより、使用者が加熱手段のオン・オフに連動した換気装置動作のみを必要としている場合に、誤って前記換気装置操作手段を操作しても、意図しない換気装置の動作を防ぐことができ、使用者にとって使い勝手の良い商品を提供することができる。
【００１３】
第６の発明は、特に、第１〜５のいずれか１つの発明において、音声を出力する音声出力部を有し、無線送信動作設定手段による無線信号を送信することの可・不可を設定すると前記音声出力部が報知音を出力する構成とすることにより、設定が実施されたことを使用者に分かり易く伝えることができ、使用者にとって使い勝手の良い商品を提供することができる。
【００１４】
第７の発明は、特に、第１〜６のいずれか１つの発明において、数字やマークを表示する表示部を有し、前記表示部は無線信号を送信することの可・不可の設定状態を表示する構成としたものである。これにより使用者に現在の設定状態を分かり易く示すことができ、使用者にとって使い勝手の良い商品を提供することができる。
【００１５】
第８の発明は、特に、第１〜７のいずれか１つの発明において、無線信号を赤外線信号によることを特徴としたものである。これにより、他の信号を用いるよりも安価に商品を生産し提供することができる。
【００１６】
以下本発明の実施の形態について、図面に基づいて説明する。なお、この実施の形態によって本発明が限定されるものではない。
【００１７】
（実施の形態１）
図１は本発明の第１の実施の形態における誘導加熱調理器および換気装置の概略図である。本実施の形態の誘導加熱調理器は、調理物を入れる調理容器１と、調理容器１を載置するトッププレート２と、調理容器１を加熱するために誘導磁界を発生させる加熱コイル３と、加熱コイル３の高周波電流を駆動制御する加熱制御部４と、加熱制御部４による加熱の開始・停止を操作する加熱操作部５と、トッププレート２の上方に配置され調理物から出る水蒸気や油煙を排気する換気装置１０と、トッププレート２の下方に配置され無線信号を送信する無線送信部７と、無線送信部７からの信号を受信する無線受信部８と、無線受信部８からの信号を受けて換気装置１０の動作開始・停止を制御する換気装置制御部９と、換気装置制御部９による換気装置１０の動作開始・停止を操作する換気装置操作部６とを備えている。加熱操作部５は加熱を開始する加熱開始キー５ａ、加熱を停止する加熱停止キー５ｂなどにより構成される。換気装置操作部６は換気装置１０の動作を開始する換気装置オンキー６ａ、動作を停止する換気装置オフキー６ｂなどにより構成される。換気装置オフキー６ｂを例えば３秒以上押し続けると前記無線送信部７よる無線信号送信の可・不可を設定できる構成とする。
【００１８】
以上のように構成された誘導加熱調理器について、図２を用いてその動作を説明する。
【００１９】
図２は、誘導加熱調理器と換気装置１０の動作を示すフローチャートである。前提条件として、換気装置１０がオンしている時に換気装置オンキー６ａは効かず、換気装置１０がオフしている時に換気装置オフキー６ｂは効かないものとする。まずＳＴＥＰ１０１において、無線信号送信の可・不可を設定し、ＳＴＥＰ１０２において加熱を開始する。次にＳＴＥＰ１０３において、無線信号送信の可・不可を判断する。無線信号送信可能に設定されていた場合、ＳＴＥＰ１０４にて無線信号を送信し換気装置１０をオンさせる。次に、ＳＴＥＰ１０６に移行し、加熱停止キー５ｂが押されたかどうかを判定する。加熱停止オフキー５ｂが押された場合、加熱を停止すると同時に無線信号を送信し、換気装置１０をオフさせる。加熱停止キー５ｂが押されていない場合、ＳＴＥＰ１０８に移行し換気装置オフキー６ｂが押されたかどうかを判定する。換気装置オフキー６ｂが押された場合、ＳＴＥＰ１０９に進み無線信号を送信して換気装置１０をオフさせる。次に、ＳＴＥＰ１１０では換気装置オンキー６ａが押されたかどうかを判定する。換気装置オンキー６ａが押された場合、ＳＴＥＰ１１１にて無線信号を送信し換気装置をオンさせる。
【００２０】
一方、ＳＴＥＰ１０３において、無線信号送信不可に設定されていた場合、ＳＴＥＰ１０５に移行し、無線信号を送信せず、換気装置１０は作動しない。次にＳＴＥＰ１１２において換気装置オンキー６ａが押されたかどうかを判定する。換気装置オンキー６ａが押された場合、ＳＴＥＰ１１３に移行し、無線信号を送信せず、換気装置は作動しない。
【００２１】
以上の構成により、加熱の開始前に使用者の意思によって換気装置の動作・非動作を設定でき、使用する環境に適した使い方を使用者に提供することができる。また、無線信号送信の可・不可を設定するキーを意味合いの似た他のキーと兼用することにより、キーの数を減らすとともに換気装置の動作・非動作を設定する際にどのキーを使用すれば良いかを連想し易くし、使用者にとって使い勝手の良い商品を提供することができる。
【００２２】
また、加熱のオン・オフに連動した換気装置動作のための無線信号送信のみ可・不可を設定できる構成とすることで、手動での換気装置の操作は有効のまま加熱との連動動作のみを無効にすることが可能となり、使用者が使いたい場合にのみ換気装置を使用できるので、使い勝手の向上を図ることができる。
【００２３】
あるいは、手動で換気装置を動作させるための無線信号送信のみ可・不可を設定できる構成とすることで、使用者が加熱のオン・オフに連動した換気装置動作のみを必要として
いる場合に、誤って換気装置操作部を操作しても、意図しない換気装置の動作を防ぐことができ、使用者にとって使い勝手の良い商品を提供することができる。
【００２４】
さらに、音声を出力する音声出力部を設け、音声出力部は無線信号送信の可・不可を設定すると報知音を出力する構成とすることで、設定が実施されたことを使用者に分かり易く伝えることができ、使用者にとって使い勝手の良い商品を提供することができる。
【００２５】
また、数字やマークを表示する例えば液晶などの表示部を有し、無線信号送信の可・不可設定状態を表示する構成としても、使用者に現在の設定状態を視覚的に分かり易く示すことができ、使用者にとって使い勝手の良い商品を提供することができる。
【００２６】
なお、無線信号を赤外線信号によるものとしても同等の効果が得られ、かつ安価に商品を生産し提供することができる。
【産業上の利用可能性】
【００２７】
本発明の誘導加熱調理器は、使用者の意思によって換気装置の加熱との連動動作や手動での換気装置動作の可・不可を設定でき、使用する環境に適した使い方を使用者に提供することができるので、一般家庭のキッチンや業務用などに用いられる誘導加熱調理器等の用途に適用できる。
【図面の簡単な説明】
【００２８】
【図１】本発明の実施の形態１における誘導加熱調理器のブロック図
【図２】本発明の実施の形態１における誘導加熱調理器と換気装置の動作フローチャート
【符号の説明】
【００２９】
１  調理容器
２  トッププレート
３  加熱コイル  
４  加熱制御部
５  加熱操作部
５ａ  加熱開始キー
５ｂ  加熱停止キー
６  換気装置操作部
６ａ  換気装置オンキー
６ｂ  換気装置オフキー
７  無線送信部
８  無線受信部
９  換気装置制御部
１０  換気装置
【図１】
2010027326.tif 000003
【図２】
2010027326.tif 000004